(57)【要約】【課題】、ユーザの健康状態に応じて分量がパーソナライズされた料理情報を提供すること。【解決手段】本発明の料理情報提供プログラムは、ユーザの健康情報に基づいて目標栄養量を設定する目標設定部、料理メニュー、当該料理メニューに含まれる栄養、当該料理メニューを構成する素材及び当該素材の分量に関する料理情報を少なくとも含む料理情報データベースから、料理情報を取得する取得部、  取得した前記料理情報に含まれる前記分量及び前記栄養を前記目標栄養量に基づいて補正する補正部、  補正された前記分量及び補正された前記栄養を含む前記料理情報を前記ユーザに提示する提示部、としてコンピュータを機能させる。【選択図】図１
2018067285.tif 000002
【特許請求の範囲】
【請求項１】
ユーザの健康情報に基づいて目標栄養量を設定する目標設定部、
料理メニュー、当該料理メニューに含まれる栄養、当該料理メニューを構成する素材及び当該素材の分量に関する料理情報を少なくとも含む料理情報データベースから、ユーザの求めに応じた前記料理情報を取得する取得部、
取得した前記料理情報に含まれる前記分量及び前記栄養を前記目標栄養量に基づいて補正する補正部、
補正された前記分量及び補正された前記栄養を含む前記料理情報を前記ユーザに提示する提示部、としてコンピュータを機能させる、
料理情報提供プログラム。
【請求項２】
請求項１に記載の料理情報提供プログラムであって、
前記取得部は、前記ユーザの体重データを継続的に取得し、
前記目標設定部は、取得した前記体重データの変化に基づいて前記ユーザの前記目標栄養量を設定する、
料理情報提供プログラム。
【請求項３】
請求項１又は請求項２に記載の料理情報提供プログラムであって、
前記取得部は、前記ユーザの睡眠データを継続的に取得し、
前記目標設定部は、取得した前記睡眠データの傾向に基づいて前記ユーザの前記目標栄養量を設定する、
料理情報提供プログラム。
【請求項４】
請求項１乃至請求項３のいずれかに記載の料理情報提供プログラムであって、
前記取得部は、前記ユーザの目標体重値を取得し、
前記目標設定部は、取得した前記目標体重値に基づいて前記ユーザの前記目標栄養量を設定する、
料理情報提供プログラム。
【請求項５】
請求項１乃至請求項４のいずれかに記載の料理情報提供プログラムであって、
前記取得部は、前記ユーザの摂取した食事情報を継続的に取得し、
前記目標設定部は、取得した前記食事情報に基づいて前記ユーザの前記目標栄養量を設定する、
料理情報提供プログラム。
【請求項６】
請求項１乃至請求項５のいずれかに記載の料理提供プログラムであって、
前記目標設定部は、前記ユーザの対象日の体重データと、当該対象日に摂取した食事情報を取得し、
前記目標設定部は、前記体重データに基づいて前記対象日の前記目標栄養量を設定し、
前記補正部は、取得した前記料理情報に含まれる前記分量及び前記栄養を前記ユーザの前記対象日に摂食した前記食事情報に基づいて補正する、
料理情報提供プログラム。
【請求項７】
ユーザの目標栄養量を設定する目標設定部と、
前記ユーザの求めに応じて、料理メニュー、当該料理メニューを構成する素材、当該素材の分量及び当該料理メニューの栄養に関する料理情報を含む料理情報データベースから当該料理情報を取得する取得部と、
取得した前記料理情報に含まれる前記分量及び前記栄養を前記目標栄養量に基づいて補正する補正部と、
補正された前記分量及び前記栄養と共に、前記料理情報を前記ユーザに提示する提示部とを備える料理情報提供装置。
【請求項８】
複数のユーザ端末と通信可能なサーバ装置を、
特定のユーザ同士をグループとして管理する管理部、
前記ユーザの目標栄養量を設定する目標設定部、
料理メニュー、当該料理メニューを構成する素材、当該素材の分量及び当該料理メニューの栄養に関する料理情報を含む料理情報データベースから当該料理情報を取得する取得部、
取得した前記料理情報に含まれる前記分量及び前記栄養を同一のグループに属する前記ユーザの目標栄養量に基づいて補正する補正部、
補正された前記分量及び前記栄養と共に、前記料理情報を前記ユーザに提示する提示部、として機能させる、
料理情報提供プログラム。
【請求項９】
請求項８に記載の料理提供プログラムであって、
前記目標設定部は、前記ユーザの対象日の体重データと、当該対象日に摂取した食事情報を取得し、
前記目標設定部は、前記体重データに基づいて前記対象日の前記目標栄養量を設定し、
前記補正部は、取得した前記料理情報に含まれる前記分量及び前記栄養を前記ユーザの前記対象日に摂食した前記食事情報に基づいて補正する、
料理情報提供プログラム。
【請求項１０】
複数のユーザ端末と通信可能なサーバ装置であって、
特定のユーザ同士をグループとして管理する管理部と、
前記ユーザの目標栄養量を設定する目標設定部と、
前記ユーザの求めに応じて、料理メニュー、当該料理メニューを構成する素材、当該素材の分量及び当該料理メニューの栄養に関する料理情報を含む料理情報データベースから当該料理情報を取得する取得部と、
取得した前記料理情報に含まれる前記分量及び前記栄養を同一のグループに属する前記ユーザの目標栄養量に基づいて補正する補正部と、
補正された前記分量及び前記栄養と共に、前記料理情報を前記ユーザに提示する提示部とを備える、
サーバ装置。
【発明の詳細な説明】
【技術分野】
【０００１】
本発明は、料理情報提供装置及び料理情報提供プログラムに関し、特にユーザの健康状態に応じた料理情報を提供する技術に関する。
【背景技術】
【０００２】
近年、ダイエットやメタボリックシンドロームの予防等の健康意識の高まりを受けて、通信ネットワークなどを介して、レシピ等の調理データを提供するサービスが提案されている（例えば、特許文献１参照）。
【先行技術文献】
【特許文献】
【０００３】
【特許文献１】特開２００３−０５０９０７号公報
【発明の概要】
【発明が解決しようとする課題】
【０００４】
しかしながら、特許文献１に記載の技術は、人数や、調理器具による加熱時間等といった画一的な基準に基づいてしか分量の調整を行うことができず、個々人に応じた食事管理を行うことはできない。
【０００５】
そこで、本発明は、上記問題に鑑みてなされたものであり、ユーザの健康状態に応じて分量がパーソナライズされた料理情報を提供することを目的とする。
【課題を解決するための手段】
【０００６】
本発明によれば、第１の料理情報提供プログラムとして、
ユーザの健康情報に基づいて目標栄養量を設定する目標設定部、
料理メニュー、当該料理メニューに含まれる栄養、当該料理メニューを構成する素材及び当該素材の分量に関する料理情報を少なくとも含む料理情報データベースから、ユーザの求めに応じた前記料理情報を取得する取得部、
取得した前記料理情報に含まれる前記分量及び前記栄養を前記目標栄養量に基づいて補正する補正部、
補正された前記分量及び補正された前記栄養を含む前記料理情報を前記ユーザに提示する提示部、としてコンピュータを機能させる、
料理情報提供プログラムが得られる。
【０００７】
本発明によれば、第２の料理情報提供プログラムとして、第１に記載の料理情報提供プログラムであって、
前記取得部は、前記ユーザの体重データを継続的に取得し、
前記目標設定部は、取得した前記体重データの変化に基づいて前記ユーザの前記目標栄養量を設定する、
料理情報提供プログラムが得られる。
【０００８】
本発明によれば、第３の料理情報提供プログラムとして、第１又は第２に記載の料理情報提供プログラムであって、
前記取得部は、前記ユーザの睡眠データを継続的に取得し、
前記目標設定部は、取得した前記睡眠データの傾向に基づいて前記ユーザの前記目標栄養量を設定する、
料理情報提供プログラムが得られる。
【０００９】
本発明によれば、第４の料理情報提供プログラムとして、第１乃至第３のいずれかに記載の料理情報提供プログラムであって、
前記取得部は、前記ユーザの目標体重値を取得し、
前記目標設定部は、取得した前記目標体重値に基づいて前記ユーザの前記目標栄養量を設定する、
料理情報提供プログラムが得られる。
【００１０】
本発明によれば、第５の料理情報提供プログラムとして、第１乃至第４のいずれかに記載の料理情報提供プログラムであって、
前記取得部は、前記ユーザの摂取した食事情報を継続的に取得し、
前記目標設定部は、取得した前記食事情報に基づいて前記ユーザの前記目標栄養量を設定する、
料理情報提供プログラムが得られる。
【００１１】
本発明によれば、第６の料理情報提供プログラムとして、第１乃至第５のいずれかに記載の料理提供プログラムであって、
前記目標設定部は、前記ユーザの対象日の体重データと、当該対象日に摂取した食事情報を取得し、
前記目標設定部は、前記体重データに基づいて前記対象日の前記目標栄養量を設定し、
前記補正部は、取得した前記料理情報に含まれる前記分量及び前記栄養を前記ユーザの前記対象日に摂食した前記食事情報に基づいて補正する、
料理情報提供プログラムが得られる。
【００１２】
本発明によれば、ユーザの目標栄養量を設定する目標設定部と、
前記ユーザの求めに応じて、料理メニュー、当該料理メニューを構成する素材、当該素材の分量及び当該料理メニューの栄養に関する料理情報を含む料理情報データベースから当該料理情報を取得する取得部と、
取得した前記料理情報に含まれる前記分量及び前記栄養を前記目標栄養量に基づいて補正する補正部と、
補正された前記分量及び前記栄養と共に、前記料理情報を前記ユーザに提示する提示部とを備える料理情報提供装置が得られる。
【００１３】
本発明によれば、第７の料理情報提供プログラムとして、複数のユーザ端末と通信可能なサーバ装置を、
特定のユーザ同士をグループとして管理する管理部、
前記ユーザの目標栄養量を設定する目標設定部、
料理メニュー、当該料理メニューを構成する素材、当該素材の分量及び当該料理メニューの栄養に関する料理情報を含む料理情報データベースから当該料理情報を取得する取得部、
取得した前記料理情報に含まれる前記分量及び前記栄養を同一のグループに属する前記ユーザの目標栄養量に基づいて補正する補正部、
補正された前記分量及び前記栄養と共に、前記料理情報を前記ユーザに提示する提示部、として機能させる、
料理情報提供プログラムが得られる。
【００１４】
本発明によれば、第８の料理情報提供プログラムとして、第７に記載の料理提供プログラムであって、
前記目標設定部は、前記ユーザの対象日の体重データと、当該対象日に摂取した食事情報を取得し、
前記目標設定部は、前記体重データに基づいて前記対象日の前記目標栄養量を設定し、
前記補正部は、取得した前記料理情報に含まれる前記分量及び前記栄養を前記ユーザの前記対象日に摂食した前記食事情報に基づいて補正する、
料理情報提供プログラムが得られる。
【００１５】
本発明によれば、複数のユーザ端末と通信可能なサーバ装置であって、
特定のユーザ同士をグループとして管理する管理部と、
前記ユーザの目標栄養量を設定する目標設定部と、
前記ユーザの求めに応じて、料理メニュー、当該料理メニューを構成する素材、当該素材の分量及び当該料理メニューの栄養に関する料理情報を含む料理情報データベースから当該料理情報を取得する取得部と、
取得した前記料理情報に含まれる前記分量及び前記栄養を同一のグループに属する前記ユーザの目標栄養量に基づいて補正する補正部と、
補正された前記分量及び前記栄養と共に、前記料理情報を前記ユーザに提示する提示部とを備える、
サーバ装置が得られる。
【発明の効果】
【００１６】
本発明によれば、ユーザの健康状態に応じて分量がパーソナライズされた料理情報を提供することができる。
【図面の簡単な説明】
【００１７】
【図１】本発明の第１の実施の形態による料理情報提供プログラムが実行されているユーザ端末の画面表示例を示す図である。
【図２】図１のユーザ端末のハードウェア構成を示すブロック図である。
【図３】図２のユーザ端末の機能構成と情報の処理の流れを示すブロック図である。
【図４】ユーザの体重グラフの表示例である。
【図５】目標体重の補正イメージである。
【図６】ユーザの当日の摂取カロリー履歴を管理するテーブルのイメージ図である。
【図７】料理情報データベースのレコードイメージである。
【図８】本発明の第２の実施の形態による料理情報提供システムの構成図である。
【図９】図８に示されるサーバのハードウェア構成を示す図である。
【図１０】図８のサーバ装置の機能構成と情報の処理の流れを示すブロック図である。
【図１１】図８に示されるユーザ夫々の当日の摂取カロリー履歴を管理するテーブルのイメージ図である。
【図１２】図８に示されるユーザのいずれかのユーザ端末に表示される画面例である。
【発明を実施するための形態】
【００１８】
（第１の実施の形態）
以下、本発明の第１の実施の形態による料理情報提供プログラムによって実現される料理情報提供システムついて、図面を参照しながら説明する。
【００１９】
＜概要＞
本発明の第１の実施の形態による料理情報提供プログラムによって実現される料理情報提供システムは、概略、図１に示されるように、ユーザの健康状態（例えば、体重や食事の量等）に応じて、料理情報（レシピ）に含まれる素材の分量が最適化されたものを各ユーザに提供するものである。詳しくは、ユーザ端末の画面に、ユーザの状態に応じて、当時の目標カロリー１０１が表示され、料理の写真１０２と、当該料理の有するカロリー１０３と、当該料理に用いられる素材の分量１０４とを表示する。
【００２０】
図２に示されるように、ユーザ端末１０は、処理部１１、メインメモリ１２、外部メモリ１３、インタフェース１４、通信部１５及び取得部１６を備え、これらはバスを介して電気的に相互に接続される。処理部１１は、外部メモリ１３に格納されたプログラム・モジュールや外部メモリ１３に格納された各種データ等をメインメモリ１２にロードして、順次プログラムを実行することにより処理を制御する。特に、処理部１１は、取得したユーザの健康に関する情報（体重情報や睡眠情報等、ユーザの健康・身体・行動に関するデータ等が例示されるがこれに限られない。詳しくは後述する）に基づいてユーザの摂取すべき（又は、許容される）カロリー等に基づいてレシピの分量を算出する。インタフェース１４は、タッチパネルやタッチキーボード等のユーザの操作を受け付ける。取得部１６は、外部から料理情報を取得する。ユーザ端末１０の情報処理の全部又は一部を、ネットワークを介して接続された他の端末（サーバ、クラウドコンピュータと等）を利用して一以上の処理に分散することとしてもよい。
【００２１】
図３に示されるように、本実施の形態による料理情報提供システムにおいては、ユーザ端末は、当該ユーザの健康情報と、料理情報データベース２の料理情報とを取得する取得部、取得した健康情報に基づいて目標栄養量を設定する目標設定部、目標栄養量に基づいて料理情報に含まれる分量及び栄養を補正する補正部、補正された分量及び補正された栄養を含む料理情報を画面に表示する提示部、として機能する。なお、料理情報データベース２から取得する料理情報（レシピ）には、少なくとも、料理メニュー、当該料理メニューに含まれる栄養、当該料理メニューを構成する素材及び当該素材の分量に関する情報が含まれている。なお、本実施の形態による料理情報データベース２は、ネットワークを介して通信可能なサーバ（図示せず）であるが、ユーザ端末内にデータの全部または一部が存在していてもよい。また、ユーザの健康情報は、外部機器（ウェアラブル端末等）から有線又は無線通信によって、データを取得することとしてもよい。
【００２２】
以下、ユーザの体重データに基づいてレシピの分量を最適化する処理について説明する。料理情報提供システムは、ユーザの一般的身体情報に基づいて初期値としての目標カロリー（例えば、１６５０ｋｃａｌ）を設定する。初期値としては、例えば、以下の式によって設定することができる。
初期値＝標準体重（kg)×活動別・標準体重1kg当たりの一日に必要なエネルギー
（※標準体重（kg)＝身長（m)×身長（m)×22）
なお、「標準体重1kg当たりの一日に必要なエネルギー」は、例えば、厚生労働省「日本人の食事摂取基準」等を参照し、基礎代謝量（基礎代謝基準値(kcal/kg体重/日)×参照体重(kg)）と、身体活動レベル（1日あたりの総エネルギー消費量を1日あたりの基礎代謝量で割った指標）との積に基づいて定めてもよい。
【００２３】
本実施の形態においては、当該ユーザの体重が図４に示されるように増加している傾向にあるとする。この場合、増加した体重から元の体重に減量するために目標カロリーが制限される。具体的には、図５に占め鮭れるように、当該ユーザに設定されていた目標カロリー値が、初期値である１６５０ｋｃａｌから１４００ｋｃａｌへと減量される。このように、目標設定部（図３参照）は、取得した体重データ（履歴）の変化に基づいてユーザの目標栄養量を設定するため、ユーザには、常に標準体重（理想体重）を維持するために必要な目標体重が設定されることとなる。
【００２４】
一方、料理情報データベース２には、料理メニュー毎にレシピのデータが格納されている。図６のテーブルは、図１のユーザ端末１０の画面に表示されるレシピに関するものである。に示されるように、少なくともメニュー（料理の名称）、熱量、素材、分量が関連付けられている。なお、これ以外の栄養素に関する情報や作り方に関する情報は図示していない。上述したように、本実施の形態によるユーザの目標栄養量は減量されているため、補正部（図３参照）は、図６のテーブルを参照して、摂取栄養量が少なくなるようにその分量（それに伴う熱量）を補正する。具体的には、図６と図１とを比較してわかるように、熱量を３２０ｋｃａｌから１８０ｋｃａｌに減らすとともに、鶏肉を１６０ｇから５９ｇへ、玉ねぎを１個から１／３個へ、トマトを１個から１／３個へと補正する。
【００２５】
補正の方法及び補正の量としては、例えば、図７に示されるように、ユーザの摂取した食事情報を継続的に取得し、毎食ごとの目標を設定することとしてもよい。即ち、目標設定部は、１日の目標栄養量（１４００ｋｃａｌ）を設定すると共に、既に摂取したカロリー（図７参照）「４８０ｋｃａｌ」及び「５２０ｋｃａｌ」に基づいて、毎食毎のカロリー（例えば、夕食：４００ｋｃａｌ）を設定する。なお、図７に示される例においては、朝食（４８０ｋｃａｌ）と昼食（５２０ｋｃａｌ）とはユーザによる入力または画像認識による入力等によって既に取得されている。このように、１日の目標栄養量と各食の目標栄養量を設定することによって、より正確な料理情報を提供することができる。
【００２６】
上述した目標栄養量は、ユーザの体重に基づいて設定されているものであったが、例えば、取得部によってユーザの睡眠データを継続的に取得し、取得した睡眠データの傾向に基づいて目標栄養量を設定することとしてもよい。これにより、例えば、深夜帰宅時等、就寝時刻が迫っている場合にはカロリーを落とした食事メニューを提供することができる。
【００２７】
また、ユーザにあらかじめ目標体重値を設定してもらい、それに基づいて目標栄養量を設定することとしてもよい。これにより、ユーザの所望とする体重に近づくことを料理情報の面から支援することが可能となる。
【００２８】
以上のように、目標栄養量は、種々の観点から様々な意図に応じて設定することができる。例えば、行動情報や生態ログ情報とに応じて設定することとしてもよい。行動情報とは、例えば、食事情報（食事時間および食事内容）、位置情報および移動情報並びにログイン情報（ログイン時間およびログイン頻度）を含んでいてもよい。当該行動情報は、ユーザ端末１０で取得されるユーザの日々の生活での行動に関する情報であり、ユーザ端末１０から直接または間接的に受信した食事の内容を示したテキストデータや画像データ、それに付随するタイムスタンプで食事時間を含めたり、ユーザ端末１０に記録されているＧＰＳデータから求められる当時の位置情報およびある時点で計測された位置情報とその次の時点で計測された位置情報から求められる移動情報を含めたり、所定のアプリケーションへログインした時間や一定期間内（一日、週間または月間等）のログイン頻度、ログイン先の情報サイトから得られるログインのアクセス履歴や健康管理対象者がサプリメント等健康食品、健康器具、トレーニングマシーンなどを購入した購買履歴を含めることができる。生体ログ情報は、心拍および脈拍情報、血圧情報、歩数および活動量並びに姿勢情報から構成される。当該生体ログ情報は、健康管理対象者の生体状況とその変化を記録した情報であり、ユーザ端末１０がウェアラブル機器、または、ウェアラブル機器と連携する端末である場合に、当該ウェアラブル機器が当該生体ログ情報を計測し、記録した情報を含めることができる。例えば、生体ログ情報は、ユーザ端末１０に内蔵されている加速度センサーに基づき健康管理対象者の動きを感知して判定する睡眠（レム睡眠またはノンレム睡眠など）情報が含まれる。その他、ユーザの健康に関する状態であれば、健康状態情報に含めることができる。健康状態情報に基づく補正の方法としては、当該ユーザにとっての基準値（平常時）から所定範囲で乖離した場合に基準歩数を変更することとしてもよい。
【００２９】
（第２の実施の形態）
本発明の第２の実施の形態による料理情報提供システムは、図８に示されるように、複数のユーザ端末１０ａ乃至１０ｃとネットワーク３０を介して通信可能なサーバ装置２０とを含んでいる。上述した第１の実施の形態による料理情報提供システムにおいては、一人のユーザの健康状態や行動履歴に応じてレシピの分量等をパーソナライズするものであったが、第２の実施の形態による料理情報提供システムは、例えば、家族等の同一のグループに属する複数のユーザの健康状態に応じた、複数人数用の最適分量がわかるレシピを提供することができる。なお、第１の実施の形態と同一の要素については同一の参照符号を付し、その説明を省略又は簡略化する。
【００３０】
図９に示されるように、サーバ装置２０は、処理部２１、メインメモリ２２、外部メモリ２３、インタフェース２４、通信部２５及び取得部２６を備え、これらはバスを介して電気的に相互に接続される。処理部２１は、外部メモリ２３に格納されたプログラム・モジュールや外部メモリ２３に格納された各種データ等をメインメモリ２２にロードして、順次プログラムを実行することにより処理を制御する。特に、処理部１１は、取得したユーザの健康に関する情報（体重情報や睡眠情報等、ユーザの健康・身体・行動に関するデータ等が例示されるがこれに限られない）に基づいてユーザの摂取すべき（又は、許容される）カロリー等に基づいてレシピの分量を算出する。インタフェース２４は、タッチパネルやタッチキーボード等のユーザの操作を受け付ける。取得部２６は、外部から料理情報を取得する。サーバ装置２０の情報処理の全部又は一部を、ネットワークを介して接続された他の端末（サーバ、クラウドコンピュータと等）を利用して一以上の処理に分散することとしてもよい。
【００３１】
図３に示されるように、本実施の形態による料理情報提供システムにおいては、サーバ装置２０は、ユーザ１ａ乃至１ｃをグループとして管理する管理部と、各ユーザの健康状態に関する情報と料理情報データベース２の料理情報とを取得する取得部と、取得した健康情報に基づいて各ユーザの目標栄養量を設定する目標設定部と、目標栄養量に基づいて料理情報に含まれる分量及び栄養を補正する補正部と、補正された分量及び補正された栄養を含む料理情報を画面に表示する提示部と、として機能する。なお、料理情報データベース２から取得する料理情報（レシピ）には、少なくとも、料理メニュー、当該料理メニューに含まれる栄養、当該料理メニューを構成する素材及び当該素材の分量に関する情報が含まれている。なお、本実施の形態による料理情報データベース２は、ネットワークを介して通信可能なサーバ（図示せず）であるが、ユーザ端末内にデータの全部または一部が存在していてもよい。また、ユーザの健康情報は、外部機器（ウェアラブル端末等）から有線又は無線通信によって、データを取得することとしてもよい。
【００３２】
サーバ装置２０は、図１１に示されるように、ユーザ１ａ乃至ユーザ１ｃそれぞれの目標カロリー（目標栄養量）と、当日の摂取カロリー（摂取栄養量）とを管理するテーブルに基づいて、各ユーザの摂取すべき栄養量（すなわち、摂取すべ上限）を算定する。
【００３３】
図１２に示されるように、各ユーザ端末１０には、（自分を含む）同一グループに属する全ユーザの摂取すべきカロリーが表示される（なお、プライバシー保護の観点から各人のカロリーは他のユーザに対して非表示設定とすることも可能であり、この場合は当該ユーザの目標カロリーは表示されない）。また、ユーザは、食事の必要なユーザを選択することが可能であり、当該選択したユーザの目標栄養量に応じて、最適化されたレシピの分量を知ることができる。図においては、ユーザ１ａ（ＩＤ＃０１）と、ユーザ１ｃ（ＩＤ＃０３）とが選択されており、図１１に示されるテーブルから、ＵｓｅｒＩＤが＃０１及び＃０３の目標栄養量の合算値からそれぞれが既に摂取した栄養量を引いた量（９５０ｋｃａｌ）と設定され、当該栄養量は、「残りの目標カロリー」としてユーザ端末に表示される（図１２参照）当該栄養量となるように、分量が算定されている。
【００３４】
このように、本実施の形態によれば、複数のユーザの健康状態を考慮し、単純な人数のみならず、かつ分量も調整できることから、複数のユーザの栄養管理も容易に行うことが可能となる。
【符号の説明】
【００３５】
１０、１０ａ、１０ｂ、１０ｃ        ユーザ端末
１１、２１        処理部
１２、２２        メインメモリ
１３、２３        外部メモリ
１４、２４        インターフェース
１５、２５        通信部
１６        取得部
２６        ディスクドライブ
３０        ネットワーク
２０        サーバ装置
【図１】
2018067285.tif 000003
【図２】
2018067285.tif 000004
【図３】
2018067285.tif 000005
【図４】
2018067285.tif 000006
【図５】
2018067285.tif 000007
【図６】
2018067285.tif 000008
【図７】
2018067285.tif 000009
【図８】
2018067285.tif 000010
【図９】
2018067285.tif 000011
【図１０】
2018067285.tif 000012
【図１１】
2018067285.tif 000013
【図１２】
2018067285.tif 000014